(57)【要約】【課題】Ｃｏｎｔｅｘｔ情報の転送機能を具備しないアクセス装置間を移動端末が移動する際に、当該移動端末が移動前に利用していたＧＷを一意に特定すること、ＧＷの選択ポリシーやＧＷの輻輳或いは故障等によってハンドオーバ時に発生するＧＷ誤選択による接続時間の遅延の発生を回避する。【解決手段】ゲートウェイ情報記憶装置６０は、移動端末１０が接続中のゲートウェイＧＷを示すゲートウェイ情報を記憶するゲートウェイ情報記憶部６１を具備し、アクセス装置２０は、移動端末１０から受信したハンドオーバ時の接続要求に応じて、ゲートウェイ情報記憶装置６０からゲートウェイ情報を取得するゲートウェイ情報取得部２３と、ゲートウェイ情報記憶装置６０から取得したゲートウェイ情報によって特定されるゲートウェイＧＷ２０Ｂと移動端末１０との間の接続を確立する接続処理部２２とを具備する。【選択図】図６
2008172294.tif 000002
【特許請求の範囲】
【請求項１】
ゲートウェイ情報記憶装置とアクセス装置とを具備する移動通信システムであって、
前記ゲートウェイ情報記憶装置は、
移動端末が接続中のゲートウェイを示すゲートウェイ情報を記憶するゲートウェイ情報記憶部を具備し、
前記アクセス装置は、
前記移動端末から受信したハンドオーバ時の接続要求に応じて、前記ゲートウェイ情報記憶装置から、前記ゲートウェイ情報を取得するゲートウェイ情報取得部と、
前記ゲートウェイ情報記憶装置から取得した前記ゲートウェイ情報によって特定されるゲートウェイと前記移動端末との間の接続を確立する接続処理部とを具備することを特徴とする移動通信システム。
【請求項２】
前記ゲートウェイ情報は、前記移動端末の識別情報と、該移動端末が接続中のゲートウェイの識別情報と、該移動端末が該ゲートウェイを介して接続中のネットワークの識別情報とに加えて、該移動端末との間の接続の確立が失敗したゲートウェイの識別情報及び該移動端末との間の接続の確立が試みられていないゲートウェイの識別情報の少なくとも一つを関連付ける情報であることを特徴とする請求項１に記載の移動通信システム。
【請求項３】
前記移動端末の識別情報及び前記ネットワークの識別情報は、１つの識別情報によって構成されていることを特徴とする請求項２に記載の移動通信システム。
【請求項４】
前記移動端末が接続を確立すべきゲートウェイを管理するゲートウェイ解決装置を具備し、
前記接続処理部は、ゲートウェイとの間の接続が確立されていない前記移動端末からの接続要求を受信した場合、前記ゲートウェイ解決装置によって指示されたゲートウェイと該移動端末との間の接続を確立するように構成されており、
前記ゲートウェイ情報記憶装置の機能は、前記ゲートウェイ解決装置に設けられていることを特徴とする請求項１に記載の移動通信システム。
【請求項５】
ゲートウェイ情報記憶装置とアクセス装置とによって行われる移動通信方法であって、
前記ゲートウェイ情報記憶装置が、移動端末が接続中のゲートウェイを示すゲートウェイ情報を記憶しており、
前記アクセス装置が、前記移動端末から受信したハンドオーバ時の接続要求に応じて、前記ゲートウェイ情報記憶装置から、前記ゲートウェイ情報を取得する工程と、
前記アクセス装置が、前記ゲートウェイ情報記憶装置から取得した前記ゲートウェイ情報によって特定されるゲートウェイと前記移動端末との間の接続を確立する工程とを有することを特徴とする移動通信方法。
【請求項６】
移動端末から受信したハンドオーバ時の接続要求に応じて、ゲートウェイ情報記憶装置から、該移動端末が接続中のゲートウェイを示すゲートウェイ情報を取得するゲートウェイ情報取得部と、
前記ゲートウェイ情報記憶装置から取得した前記ゲートウェイ情報によって特定されるゲートウェイと前記移動端末との間の接続を確立する接続処理部とを具備することを特徴とするアクセス装置。
【請求項７】
前記接続処理部は、ゲートウェイとの間の接続が確立されていない前記移動端末からの接続要求を受信した場合、該移動端末が接続を確立すべきゲートウェイを管理するゲートウェイ解決装置によって指示されたゲートウェイと該移動端末との間の接続を確立するように構成されていることを特徴とする請求項６に記載のアクセス装置。
【請求項８】
移動端末の識別情報と、該移動端末が接続中のゲートウェイの識別情報と、該移動端末が該ゲートウェイを介して接続中のネットワークの識別情報とに加えて、該移動端末との間の接続の確立が失敗したゲートウェイの識別情報及び該移動端末との間の接続の確立が試みられていないゲートウェイの識別情報の少なくとも一つを関連付けるゲートウェイ情報を記憶するゲートウェイ情報記憶部と、
アクセス装置からの要求に応じて、前記ゲートウェイ情報を送信するゲートウェイ情報送信部と、
前記アクセス装置からの通知に応じて、前記ゲートウェイ情報を更新するゲートウェイ情報受信部とを具備することを特徴とするゲートウェイ情報記憶装置。
【請求項９】
前記移動端末の識別情報及び前記ネットワークの識別情報は、１つの識別情報によって構成されていることを特徴とする請求項８に記載のゲートウェイ情報記憶装置。
【発明の詳細な説明】
【技術分野】
【０００１】
本発明は、移動通信システム、移動通信方法、アクセス装置及びゲートウェイ情報記憶装置に関する。
【背景技術】
【０００２】
従来、複数のゲートウェイ（以下、ＧＷ）が設けられている移動通信ネットワーク（モバイルネットワーク）の例として、３ＧＰＰ  ＧＰＲＳネットワークが知られている（例えば、非特許文献１の「Ｆｉｇｕｒｅ.６４：ＰＤＰ  Ｃｏｎｔｅｘｔ  Ａｃｔｉｖａｔｉｏｎ  Ｐｒｏｃｅｄｕｒｅ  ｆｏｒ  Ｉｕ  ｍｏｄｅ」参照）。
【０００３】
図１３に示すように、ＧＰＲＳネットワークでは、通信開始時に、移動端末ＭＳが、メッセージ１を用いて、接続先ネットワークを示す「Ａｃｃｅｓｓ  Ｐｏｉｎｔ  Ｎａｍｅ（ＡＰＮ）」を、交換機ＳＧＳＮ（Ｓｅｒｖｉｎｇ  ＧＰＲＳ  Ｓｕｐｐｏｒｔ  Ｎｏｄｅ）に対して通知する。
【０００４】
この結果、交換機ＳＧＳＮが、ＤＮＳ（Ｄｏｍａｉｎ  Ｎａｍｅ  Ｓｅｒｖｅｒ）等のＧＷ解決装置へ問い合わせることによって、ゲートウェイである交換機ＧＧＳＮ（Ｇａｔｅｗａｙ  ＧＰＲＳ  Ｓｕｐｐｏｒｔ  Ｎｏｄｅ）を特定する。
【０００５】
そして、交換機ＳＧＳＮが、メッセージ４及び９のやり取りを通じて、交換機（ゲートウェイ）ＧＧＳＮとの間で経路設定を行う。
【０００６】
また、図１４に示すように、移動端末ＭＳが、通信中に、交換機ＳＧＳＮを跨る移動を行った場合には、ハンドオーバ準備手順において、ハンドオーバ前の交換機ＳＧＳＮ（旧ＳＧＳＮ）からハンドオーバ後の交換機ＳＧＳＮ（新ＳＧＳＮ）に対して、メッセージ３を用いて、当該移動端末ＭＳに関するＣｏｎｔｅｘｔ情報（ＧＧＳＮ情報を含む）が通知される。
【０００７】
そして、ハンドオーバ後の交換機ＳＧＳＮ（新ＳＧＳＮ）が、移動端末ＭＳがハンドオーバ前に利用していた交換機ＧＧＳＮを一意に特定することが可能となり、メッセージ１３のやり取りを通じて、交換機ＧＧＳＮとの間で経路設定を行う。
【０００８】
その結果、移動端末ＭＳのハンドオーバ後も、同一の交換機ＧＧＳＮを利用して、当該移動端末ＭＳに対してモビリティサービスを提供することが可能となる（非特許文献１の「Ｆｉｇｕｒｅ.４２：Ｃｏｍｂｉｎｅｄ  Ｈａｒｄ  Ｈａｎｄｏｖｅｒ  ａｎｄ  ＳＲＮＳ  Ｒｅｌｏｃａｔｉｏｎ  Ｐｒｏｃｅｄｕｒｅ」参照）。
【非特許文献１】「Ｇｅｎｅｒａｌ  Ｐａｃｋｅｔ  Ｒａｄｉｏ  Ｓｅｒｖｉｃｅ（ＧＰＲＳ）：Ｓｅｒｖｉｃｅ  ｄｅｓｃｒｉｐｔｉｏｎ：Ｓｔａｇｅ２」、３ＧＰＰ  ＴＲ２３.０６０  Ｖ７.２.０、２００６年９月
【非特許文献２】「３ＧＰＰ  Ｓｙｓｔｅｍ  Ａｒｃｈｉｔｅｃｔｕｒｅ  Ｅｖｏｌｕａｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ」、３ＧＰＰ  ＴＲ２３.８８２  Ｖ１.４.０、２００６年９月
【非特許文献３】「Ｎｕｍｂｅｒｉｎｇ，  ａｄｄｒｅｓｓｉｎｇ  ａｎｄ  ｉｄｅｎｔｉｆｉｃａｔｉｏｎ」、３ＧＰＰ  ＴＳ２３.００３  Ｖ７.１.０、２００６年９月
【発明の開示】
【発明が解決しようとする課題】
【０００９】
上述した移動通信ネットワークでは、ハンドオーバ前後で、移動端末の移動に伴うネットワーク内のルーチング経路の変更処理を実施するアクセス装置（上述の例では、交換機ＳＧＳＮ）間で、当該移動端末に関するＣｏｎｔｅｘｔ情報の転送が可能であることを前提としている。
【００１０】
すなわち、かかるＣｏｎｔｅｘｔ情報の転送機能を利用することによって、ハンドオーバ時において、アクセス装置間で、当該移動端末が利用するＧＷ（上述の例では、交換機ＧＧＳＮ）についての情報を共有することが可能となり、ハンドオーバ前後で、同一のゲートウェイを選択することが可能となる。
【００１１】
しかしながら、例えば、非特許文献２に示す３ＧＰＰ-Ｎｏｎ  ３ＧＰＰ間ハンドオーバのように、アクセス装置（非特許文献２における「ＭＭＥ/ＵＰＥ」及び「ｅＰＤＧ」）において、上述のＣｏｎｔｅｘｔ情報の転送機能が利用できない場合には、図１４に示すように、移動端末のハンドオーバ後に、アクセス装置が、当該移動端末がハンドオーバ前に利用していたＧＷを一意に特定することができないという問題点があった。
【００１２】
例えば、図１５に示すように、アクセス装置２０Ａ（非特許文献２の「ＭＭＥ/ＵＰＥ」に対応）に対して初期接続要求を送信する移動端末１０は、当該初期接続要求を用いて、接続先ネットワークを特定する情報（ＡＰＮ）を、アクセス装置２０Ａに対して通知する（ステップＳ５００１）。
【００１３】
アクセス装置２０Ａは、ステップＳ５００２において、認証処理４０と協働して認証処理を行い、ステップＳ５００３及びＳ５００４において、ＧＷ解決装置４０から、当該ＡＰＮに対応する複数のＧＷについての情報（ＳＡＥ-Ａ  ＩＰ  ａｄｄリスト）を取得する。
【００１４】
このとき、アクセス装置２０Ａは、ステップＳ５００４において、ＧＷ解決装置４０から、複数のＧＷ（ＧＷ３０Ａ/ＧＷ３０Ｂ/ＧＷ３０Ｃ）についての情報（ＳＡＥ-Ａ  ＩＰ  ａｄｄリスト）を取得し、ステップＳ５００５において、当該接続先ネットワークにおけるポリシー等から、ＧＷ３０Ａを、優先接続先として選択する（接続ＳＡＥ-Ａ選択を行う）。
【００１５】
ここで、ＧＷ３０Ａが、障害等の理由によりアクセス不能な状況に陥っている場合、ＧＷ３０Ａと間の接続処理が失敗してエラーとなり（ステップＳ５００６）、アクセス装置２０Ａは、ステップＳ５００７及びＳ５００８において、次に優先度の高いＧＷ３０Ｂとの間の接続処理を開始する（接続ＳＡＥ-Ａ再選択を行う）。
【００１６】
その後、移動端末１０は、ステップＳ５００９Ａにおいて、アクセス装置２０Ｂ（非特許文献２の「ｅＰＤＧ」に対応）配下へ移動した場合、再度、接続先ネットワークとの間の接続処理を開始する（ステップＳ５０１０）が、アクセス装置２０Ａとアクセス装置２０Ｂとの間でＣｏｎｔｅｘｔ情報を転送することができないため、アクセス装置２０Ｂは、移動端末１０とＧＷ３０Ａとの間で接続を確立することができないことを知り得ない。
【００１７】
そのため、アクセス装置２０Ｂは、ステップＳ５０１３においてＧＷ解決装置５０から取得した複数のＧＷについての情報（ＳＡＥ-Ａ  ＩＰ  ａｄｄリスト）の中から最も優先度の高いＧＷ３０Ａを選択し（ステップＳ５０１４）、選択したＧＷ３０Ａと移動局１０との間の接続処理を再度実施してしまい（ステップＳ５０１５）、かかる接続処理についてのエラーを検出した後に、ステップＳ５０１７において、再度、ＧＷ３０Ｂに対して接続処理を実施するという手順を踏む必要がある。
【００１８】
この結果、移動端末１０が経験するハンドオーバ遅延時間が増大するという問題点があった。
【００１９】
また、かかる問題点は、ＧＷに障害等が発生するケース以外にも、例えば、負荷分散を目的として、各アクセス装置単位で、ランダムに、接続先ＧＷを決定するようなケースでも、同様に発生する。
【００２０】
そこで、本発明は、上述の課題に鑑みてなされたものであり、Ｃｏｎｔｅｘｔ情報の転送機能を具備しないアクセス装置間を移動端末が移動する際に、当該移動端末が移動前に利用していたＧＷを一意に特定すること、従来の移動通信システムで課題となっていたＧＷの選択ポリシーやＧＷの輻輳或いは故障等によってハンドオーバ時に発生するＧＷ誤選択による接続時間の遅延の発生を回避すること、及び、ハンドオーバ処理の遅延の増大を防ぐことを可能とする移動通信システム、移動通信方法、アクセス装置及びゲートウェイ情報記憶装置を提供することを目的とする。
【課題を解決するための手段】
【００２１】
本発明の第１の特徴は、ゲートウェイ情報記憶装置とアクセス装置とを具備する移動通信システムであって、前記ゲートウェイ情報記憶装置は、移動端末が接続中のゲートウェイを示すゲートウェイ情報を記憶するゲートウェイ情報記憶部を具備し、前記アクセス装置は、前記移動端末から受信したハンドオーバ時の接続要求に応じて、前記ゲートウェイ情報記憶装置から、前記ゲートウェイ情報を取得するゲートウェイ情報取得部と、前記ゲートウェイ情報記憶装置から取得した前記ゲートウェイ情報によって特定されるゲートウェイと前記移動端末との間の接続を確立する接続処理部とを具備することを要旨とする。
【００２２】
本発明の第１の特徴において、前記ゲートウェイ情報は、前記移動端末の識別情報と、該移動端末が接続中のゲートウェイの識別情報と、該移動端末が該ゲートウェイを介して接続中のアクセス装置の識別情報とに加えて、該移動端末との間の接続の確立が失敗したゲートウェイの識別情報及び該移動端末との間の接続の確立が試みられていないゲートウェイの識別情報の少なくとも一つを関連付ける情報であってもよい。
【００２３】
本発明の第１の特徴において、前記移動端末の識別情報及び前記ネットワークの識別情報は、１つの識別情報によって構成されていてもよい。
【００２４】
本発明の第１の特徴において、前記移動端末が接続を確立すべきゲートウェイを管理するゲートウェイ解決装置を具備し、前記接続処理部は、ゲートウェイとの間の接続が確立されていない前記移動端末からの接続要求を受信した場合、前記ゲートウェイ解決装置によって指示されたゲートウェイと該移動端末との間の接続を確立するように構成されており、前記ゲートウェイ情報記憶装置の機能は、前記ゲートウェイ解決装置に設けられていてもよい。
【００２５】
本発明の第２の特徴は、ゲートウェイ情報記憶装置とアクセス装置とによって行われる移動通信方法であって、前記ゲートウェイ情報記憶装置が、移動端末が接続中のゲートウェイを示すゲートウェイ情報を記憶しており、前記アクセス装置が、前記移動端末から受信したハンドオーバ時の接続要求に応じて、前記ゲートウェイ情報記憶装置から、前記ゲートウェイ情報を取得する工程と、前記アクセス装置が、前記ゲートウェイ情報記憶装置から取得した前記ゲートウェイ情報によって特定されるゲートウェイと前記移動端末との間の接続を確立する工程とを有することを要旨とする。
【００２６】
本発明の第２の特徴において、前記接続処理部は、ゲートウェイとの間の接続が確立されていない前記移動端末からの接続要求を受信した場合、該移動端末が接続を確立すべきゲートウェイを管理するゲートウェイ解決装置によって指示されたゲートウェイと該移動端末との間の接続を確立するように構成されていてもよい。
【００２７】
本発明の第３の特徴は、アクセス装置であって、移動端末から受信したハンドオーバ時の接続要求に応じて、ゲートウェイ情報記憶装置から、該移動端末が接続中のゲートウェイを示すゲートウェイ情報を取得するゲートウェイ情報取得部と、前記ゲートウェイ情報記憶装置から取得した前記ゲートウェイ情報によって特定されるゲートウェイと前記移動端末との間の接続を確立する接続処理部とを具備することを要旨とする。
【００２８】
本発明の第４の特徴は、ゲートウェイ情報記憶装置であって、移動端末の識別情報と、該移動端末が接続中のゲートウェイの識別情報と、該移動端末が該ゲートウェイを介して接続中のアクセス装置の識別情報とに加えて、該移動端末との間の接続の確立が失敗したゲートウェイの識別情報及び該移動端末との間の接続の確立が試みられていないゲートウェイの識別情報の少なくとも一つを関連付けるゲートウェイ情報を記憶するゲートウェイ情報記憶部と、アクセス装置からの要求に応じて、前記ゲートウェイ情報を送信するゲートウェイ情報送信部と、前記アクセス装置からの通知に応じて、前記ゲートウェイ情報を更新するゲートウェイ情報受信部とを具備することを要旨とする。
【００２９】
本発明の第４の特徴において、前記移動端末の識別情報及び前記ネットワークの識別情報は、１つの識別情報によって構成されていてもよい。
【発明の効果】
【００３０】
以上説明したように、本発明によれば、Ｃｏｎｔｅｘｔ情報の転送機能を具備しないアクセス装置間を移動端末が移動する際に、当該移動端末が移動前に利用していたＧＷを一意に特定すること、従来の移動通信システムで課題となっていたＧＷの選択ポリシーやＧＷの輻輳或いは故障等によってハンドオーバ時に発生するＧＷ誤選択による接続時間の遅延の発生を回避すること、及び、ハンドオーバ処理の遅延の増大を防ぐことを可能とする移動通信システム、移動通信方法、アクセス装置及びゲートウェイ情報記憶装置を提供することができる。
【発明を実施するための最良の形態】
【００３１】
（本発明の第１の実施形態に係る移動通信システムの構成）
図１乃至図４を参照して、本発明の第１の実施形態に係る移動通信システムの構成について説明する。
【００３２】
図１に示すように、本実施形態に係る移動通信システムは、複数のアクセス装置２０Ａ及び２０Ｂと、複数のＧＷ３０Ａ乃至３０Ｃと、認証装置４０と、ＧＷ解決装置５０と、ＧＷ情報記憶装置６０とを具備している。
【００３３】
アクセス装置２０は、アクセスネットワーク（無線ネットワーク或いは有線ネットワーク）１を経由して、移動端末１０を収容するように構成されている。
【００３４】
図２に示すように、アクセス装置２０Ａ及び２０Ｂは、それぞれ、認証処理部２１と、接続処理部２２と、ＧＷ情報取得部２３と、ＧＷ情報登録部２４とを具備している。アクセス装置２０Ａの機能及びアクセス装置２０Ｂの機能は、基本的に同一であるため、以下、必要に応じて、「アクセス装置２０」という表現を用いて、両機能について説明する。
【００３５】
認証処理部２１は、移動端末１０からの接続要求に応じて、認証装置４０に対して認証要求を送信することによって、当該移動端末１０に対する認証処理を行うように構成されている。
【００３６】
ＧＷ情報取得部２３は、移動端末１０から受信したハンドオーバ時の接続要求に応じて、ＧＷ情報記憶装置６０から、当該移動端末１０が接続中のＧＷを示すＧＷ情報を取得するように構成されている。
【００３７】
接続処理部２２は、移動端末１０とゲートウェイとの間の接続を確立するように構成されている。
【００３８】
具体的には、接続処理部２２は、移動端末１０から初期接続要求を受信した場合には、ＧＷ解決装置５０にから取得したＧＷについて情報（ＧＷリスト）に応じて、当該移動端末１０との間の接続を確立すべきＧＷを選択し、選択したＧＷに対して接続要求を送信することによって、選択したＧＷと当該移動端末１０との間の接続を確立するための接続処理を行うように構成されている。
【００３９】
また、接続処理部２２は、移動端末１０からハンドオーバ時の接続要求を受信した場合には、ＧＷ情報取得部２３によりＧＷ情報記憶装置６０から取得されたＧＷ情報によって特定されるＧＷと移動端末１０との間の接続を確立するための接続処理を行うように構成されている。
【００４０】
ここで、移動端末１０から送信された接続要求が「初期接続要求」或いは「ハンドオーバ時の接続要求」のいずれであるかについての判定は、認証装置４０から送信される認証要求応答に含まれる「フラグ（初期接続フラグ或いはＨＯフラグ）」によって行われるように構成されていてもよい。
【００４１】
また、他のネットワークへの接続を提供するＧＷは、複数存在し得るため、接続処理部２２は、ネットワークポリシー等により、複数のＧＷの中から優先的に接続処理を行うべきＧＷを選択する機能を持つ。
【００４２】
ＧＷ情報登録部２４は、上述のＧＷと移動端末１０との間の接続が確立した後、ＧＷ情報記憶装置６０に対して、ＧＷ情報登録要求を送信することによって、ＧＷ情報記憶装置６０に記憶されているＧＷ情報を更新するように構成されている。
【００４３】
ＧＷ３０Ａ乃至３０Ｃは、それぞれ、移動端末１０に対して、所望の他ネットワークに対する接続を提供するように構成されている。
【００４４】
認証装置４０は、アクセス装置２０から送信された認証要求に応じて、移動端末１０に対する認証処理を行うように構成されている。
【００４５】
また、認証装置４０は、当該移動端末１０とＧＷとの間の接続が確立されているか否かについての判定、すなわち、当該移動端末１０からアクセス装置２０に対して送信された接続要求が「初期接続要求」或いは「ハンドオーバ時の接続要求」のいずれであるかについての判定を行うように構成されていてもよい。
【００４６】
なお、認証装置４０は、上述の認証処理の結果及び判定結果を通知するための認証要求応答を、当該アクセス装置２０に対して送信するように構成されている。
【００４７】
ＧＷ解決装置５０は、移動端末１０が接続を確立すべきＧＷを管理するように構成されている。
【００４８】
具体的には、ＧＷ解決装置５０は、他ネットワークの識別情報（ＡＰＩ）に対応するＧＷについての情報（ＧＷリスト）を保持しており、アクセス装置２０からのＡＰＩ解決要求に応じて、当該アクセス装置２０に対して当該ＧＷリストを提供するように構成されている。
【００４９】
なお、ＧＷ解決装置５０は、図１に示すように、移動端末１０が接続を確立すべきＧＷに対して優先度を付けて管理するように構成されていてもよい。
【００５０】
ＧＷ情報記憶装置６０は、移動端末１０が他のネットワークとの間で通信を行うために現在利用しているＧＷを管理するように構成されている。
【００５１】
具体的には、図３に示すように、ＧＷ情報記憶装置６０は、ＧＷ情報記憶部６１と、ＧＷ情報受信部６２と、ＧＷ情報送信部６３とを具備している。
【００５２】
ＧＷ情報記憶部６１は、移動端末１０が他のネットワークとの間で通信を行うために現在利用しているＧＷ（すなわち、移動端末１０が接続中のＧＷ）を示すＧＷ情報を記憶するように構成されている。
【００５３】
具体的には、ＧＷ情報記憶部６１は、図４に示すように、「ＵＥ識別子（移動端末の識別情報）」と、「接続中ＧＷ（当該移動端末が接続中のＧＷの識別情報）」と、「ＡＰＩ識別子（当該移動端末が当該ＧＷを介して接続中のネットワークの識別情報）」と、「エントリ有効期限」とを関連付けるＧＷ情報を記憶するように構成されている。ここで、「エントリ有効期限」は、各ＧＷ情報のエントリの有効期限を示す。
【００５４】
また、ＧＷ情報記憶部６１は、「エントリ有効期限」が満了したエントリについて自律的に削除し、他のノードへの通知を行わないように構成されていてもよい。
【００５５】
また、ＧＷ情報記憶部６１は、「エントリ有効期限」が無期限となっているエントリについては、移動端末１０が接続先ネットワークとの接続を完全に終了する、すなわち、アクセス装置２０から「ＵＥＩＤ」のみを含む切断要求を受信し、全ての接続先ネットワークとの接続を終了する場合にのみ削除するように構成されている。
【００５６】
なお、「エントリ有効期限」は、オペレータポリシー等により設定されるように構成されてもよいし、或いは、ＧＷ情報登録要求に付与される有効期限情報等により設定されるように構成されていてもよい。
【００５７】
ＧＷ情報受信部６２は、アクセス装置２０からの通知（ＧＷ情報登録要求）に応じて、ＧＷ情報記憶部６１に記憶されるＧＷ情報を更新（登録、変更、削除）するように構成されている。
【００５８】
ＧＷ情報送信部６３は、アクセス装置２０からの要求（ＧＷ情報要求）に応じて、当該アクセス装置２０に対して、該当するＧＷ情報を送信するように構成されている。
【００５９】
（本発明の第１の実施形態に係る移動通信システムの動作）
図５乃至図８を参照して、本発明の第１の実施形態に係る移動通信システムの動作について説明する。
【００６０】
第１に、図５を参照して、本実施形態に係る移動通信システムにおける正常時の動作について説明する。
【００６１】
図５に示すように、移動端末１０は、アクセス装置２０Ａに対する接続処理を開始することを決定すると、ステップＳ１００１において、当該移動端末の識別情報である「ＵＥＩＤ」及び所望の接続先ネットワークの識別情報を示す「ＡＰＩ」を含む接続要求を、アクセス装置２０Ａに対して送信する。
【００６２】
ステップＳ１００２において、アクセス装置２０Ａは、当該「ＵＥＩＤ」及びセキュリティ情報を含む認証要求を認証装置４０に対して送信する。
【００６３】
ステップＳ１００３において、認証装置４０は、アクセス装置２０Ａから送信された認証要求に応じて、当該認証要求に含まれる「ＵＥＩＤ」によって識別される移動端末１０に対する認証処理を行う。
【００６４】
次に、認証装置４０は、かかる認証結果がＯＫである場合、自身が管理する移動端末に関する接続状態を参照して、当該移動端末１０とＧＷとの間の接続が既に確立されているか否かについて判定する。
【００６５】
そして、認証装置４０は、かかる認証結果と共に、かかる判定結果を示す初期接続フラグを含む認証応答を、アクセス装置２０Ａに対して送信する。ここでは、初期接続フラグによって、移動端末１０とＧＷとの間の接続は未だ確立されていない旨が通知される。
【００６６】
ステップＳ１００４において、アクセス装置２０Ａは、認証装置４０から、肯定的な認証結果を含む認証応答を受信すると、所望の接続先ネットワークへの接続を提供するＧＷを検索するためのＡＰＩ解決要求を、ＧＷ解決装置５０に対して送信する。ここで、ＡＰＩ解決要求には、所望の接続先ネットワークの識別情報である「ＡＰＩ」が含まれている。
【００６７】
ステップＳ１００５において、ＧＷ解決装置５０は、受信したＡＰＩ解決要求に含まれる「ＡＰＩ」に対応するＧＷリスト（例えば、ＧＷ３０Ａ/３０Ｂ/３０Ｃ…）を検索し、検索したＧＷリストを含むＡＰＩ解決応答を、アクセス装置２０Ａに対して送信する。
【００６８】
ステップＳ１００６において、アクセス装置２０Ａは、受信したＡＰＩ解決応答に含まれるＧＷリストの中から、ネットワークポリシー等により、接続処理を行うべきＧＷ３０Ａを選択し、選択したＧＷ３０Ａに対して、接続要求を送信する。
【００６９】
ステップＳ１００７において、ＧＷ３０Ａは、アクセス装置２０Ａから送信された接続要求について受付可能である場合、移動端末１０宛てのパケットを転送するための経路設定を行い、アクセス装置２０Ａに対して接続要求応答（ＯＫ）を返す。
【００７０】
ステップＳ１００８において、アクセス装置２０Ａは、移動端末１０に対して、移動端末１０とＧＷ３０Ａとの間の接続が確立した旨を通知するための接続要求応答を送信する。
【００７１】
ステップＳ１００９において、アクセス装置２０Ａは、移動端末１０の識別情報である「ＵＥＩＤ」と、所望の接続先ネットワークの識別情報である「ＡＰＩ」と、ＧＷ３０Ａの識別情報とを関連付けるＧＷ情報を登録するように要求するＧＷ情報登録要求を、ＧＷ情報記憶装置６０に対して送信する。
【００７２】
ステップＳ１０１０において、ＧＷ情報記憶装置６０は、受信したＧＷ情報登録要求に含まれるＧＷ情報を登録し、かかる登録処理が完了したことを示すＧＷ情報登録応答（ＯＫ）を、アクセス装置２０Ａに対して送信する。
【００７３】
その後、移動端末１０は、異なるアクセス装置２０Ｂ配下にハンドオーバすると、ステップＳ１０１１において、移動端末１０の識別情報である「ＵＥＩＤ」及び所望の接続先ネットワークの識別情報である「ＡＰＩ」を含む接続要求を、アクセス装置２０Ｂに対して送信する。
【００７４】
ステップＳ１０１２において、アクセス装置２０Ｂは、当該「ＵＥＩＤ」及びセキュリティ情報を含む認証要求を認証装置４０に対して送信する。
【００７５】
ステップＳ１０１３において、認証装置４０は、アクセス装置２０Ｂから送信された認証要求に応じて、当該認証要求に含まれる「ＵＥＩＤ」によって識別される移動端末１０に対する認証処理を行う。
【００７６】
次に、認証装置４０は、かかる認証結果がＯＫである場合、自身が管理する移動端末に関する接続状態を参照して、当該移動端末１０とＧＷとの間の接続が既に確立されているか否かについて判定する。
【００７７】
そして、認証装置４０は、かかる認証結果と共に、かかる判定結果を示すＨＯフラグを含む認証応答を、アクセス装置２０Ｂに対して送信する。ここでは、ＨＯフラグによって、移動端末１０とＧＷ３０Ａとの間の接続が既に確立されている旨が通知される。
【００７８】
ステップＳ１０１４において、アクセス装置２０Ｂは、認証装置４０から、肯定的な認証結果及びＨＯフラグを含む認証応答を受信すると、ＡＰＩ解決要求をＧＷ解決装置４０に送信することなく、移動端末１０が接続中のＧＷを問い合わせるためのＧＷ情報要求を、ＧＷ情報記憶装置６０に対して送信する。ここで、ＡＰＩ解決要求には、移動端末１０の識別情報である「ＵＥＩＤ」及び所望の接続先ネットワークの識別情報である「ＡＰＩ」が含まれている。
【００７９】
ステップＳ１０１５において、ＧＷ情報記憶装置６０は、受信したＧＷ情報要求に含まれる「ＵＥＩＤ」及び「ＡＰＩ」に応じて、移動端末１０が接続中のＧＷを示すＧＷ情報を、アクセス装置２０Ｂに対して送信する。ここで、送信されるＧＷ情報は、移動端末１０の識別情報である「ＵＥＩＤ」と、所望の接続先ネットワークの識別情報である「ＡＰＩ」と、ＧＷ３０Ａの識別情報とを関連付ける情報である。
【００８０】
ステップＳ１０１６において、アクセス装置２０Ｂは、受信したＧＷ情報によって特定されるＧＷ３０Ａに対して、接続要求を送信する。
【００８１】
ステップＳ１０１７において、ＧＷ３０Ａは、アクセス装置２０Ｂから送信された接続要求について受付可能である場合、移動端末１０宛てのパケットを転送するための経路設定を行い、アクセス装置２０Ｂに対して接続要求応答（ＯＫ）を返す。
【００８２】
ステップＳ１０１８において、アクセス装置２０Ｂは、移動端末１０に対して、移動端末１０とＧＷ３０Ａとの間の接続が確立した旨を通知するための接続要求応答を送信する。
【００８３】
第２に、図６及び図７を参照して、本実施形態に係る移動通信システムにおいて、ＧＷ３０Ａが故障している場合の動作について説明する。
【００８４】
ステップＳ２００１乃至Ｓ２００５の動作は、図５に示すステップＳ１００１乃至Ｓ１００５の動作と同一であるため、説明を省略する。
【００８５】
ステップＳ２００６において、アクセス装置２０Ａは、受信したＡＰＩ解決応答に含まれるＧＷリストの中から、ネットワークポリシー等により、接続処理を行うべきＧＷ３０Ａを選択し、選択したＧＷ３０Ａに対して、接続要求を送信する。
【００８６】
しかしながら、ＧＷ３０Ａは故障中であるため、ステップＳ２００７において、アクセス装置２０Ａは、ＧＷ３０Ａに対する接続処理が失敗したことを通知する接続要求応答（エラー）を受信する、或いは、接続要求応答（ＯＫ）を受信することなく、応答待ちタイマーが期限切れとなる。
【００８７】
ステップＳ２００８において、アクセス装置２０Ａは、受信したＡＰＩ解決応答に含まれるＧＷリストの中から、次に優先度の高いＧＷ３０Ｂを選択し、選択したＧＷ３０Ｂに対して、接続要求を送信する。
【００８８】
ステップＳ２００９において、ＧＷ３０Ｂは、アクセス装置２０Ａから送信された接続要求について受付可能である場合、移動端末１０宛てのパケットを転送するための経路設定を行い、アクセス装置２０Ａに対して接続要求応答（ＯＫ）を返す。
【００８９】
ステップＳ２０１０において、アクセス装置２０Ａは、移動端末１０に対して、移動端末１０とＧＷ３０Ｂとの間の接続が確立した旨を通知するための接続要求応答を送信する。
【００９０】
ステップＳ２０１１において、アクセス装置２０Ａは、移動端末１０の識別情報である「ＵＥＩＤ」と、所望の接続先ネットワークの識別情報である「ＡＰＩ」と、ＧＷ３０Ｂの識別情報とを関連付けるＧＷ情報を登録するように要求するＧＷ情報登録要求を、ＧＷ情報記憶装置６０に対して送信する。
【００９１】
ステップＳ２０１２において、ＧＷ情報記憶装置６０は、受信したＧＷ情報登録要求に含まれるＧＷ情報を登録し、かかる登録処理が完了したことを示すＧＷ情報登録応答（ＯＫ）を、アクセス装置２０Ａに対して送信する。
【００９２】
その後、移動端末１０は、異なるアクセス装置２０Ｂ配下にハンドオーバすると、ステップＳ２０１３において、移動端末１０の識別情報である「ＵＥＩＤ」及び所望の接続先ネットワークの識別情報である「ＡＰＩ」を含む接続要求を、アクセス装置２０Ｂに対して送信する。
【００９３】
ステップＳ２０１４において、アクセス装置２０Ｂは、当該「ＵＥＩＤ」及びセキュリティ情報を含む認証要求を認証装置４０に対して送信する。
【００９４】
ステップＳ２０１５において、認証装置４０は、アクセス装置２０Ｂから送信された認証要求に応じて、当該認証要求に含まれる「ＵＥＩＤ」によって識別される移動端末１０に対する認証処理を行う。
【００９５】
次に、認証装置４０は、かかる認証結果がＯＫである場合、自身が管理する移動端末に関する接続状態を参照して、当該移動端末１０とＧＷとの間の接続が既に確立されているか否かについて判定する。
【００９６】
そして、認証装置４０は、かかる認証結果と共に、かかる判定結果を示すＨＯフラグを含む認証応答を、アクセス装置２０Ｂに対して送信する。ここでは、ＨＯフラグによって、移動端末１０とＧＷ３０Ｂとの間の接続が既に確立されている旨が通知される。
【００９７】
ステップＳ２０１６において、アクセス装置２０Ｂは、認証装置４０から、肯定的な認証結果及びＨＯフラグを含む認証応答を受信すると、ＡＰＩ解決要求をＧＷ解決装置４０に送信することなく、移動端末１０が接続中のＧＷを問い合わせるためのＧＷ情報要求を、ＧＷ情報記憶装置６０に対して送信する。ここで、ＡＰＩ解決要求には、移動端末１０の識別情報である「ＵＥＩＤ」及び所望の接続先ネットワークの識別情報である「ＡＰＩ」が含まれている。
【００９８】
ステップＳ２０１７において、ＧＷ情報記憶装置６０は、受信したＧＷ情報要求に含まれる「ＵＥＩＤ」及び「ＡＰＩ」に応じて、移動端末１０が接続中のＧＷを示すＧＷ情報を、アクセス装置２０Ｂに対して送信する。ここで、送信されるＧＷ情報は、移動端末１０の識別情報である「ＵＥＩＤ」と、所望の接続先ネットワークの識別情報である「ＡＰＩ」と、ＧＷ３０Ｂの識別情報とを関連付ける情報である。
【００９９】
ステップＳ２０１８において、アクセス装置２０Ｂは、受信したＧＷ情報によって特定されるＧＷ３０Ｂに対して、接続要求を送信する。
【０１００】
ステップＳ２０１９において、ＧＷ３０Ｂは、アクセス装置２０Ｂから送信された接続要求について受付可能である場合、移動端末１０宛てのパケットを転送するための経路設定を行い、アクセス装置２０Ｂに対して接続要求応答（ＯＫ）を返す。
【０１０１】
ステップＳ２０２０において、アクセス装置２０Ｂは、移動端末１０に対して、移動端末１０とＧＷ３０Ｂとの間の接続が確立した旨を通知するための接続要求応答を送信する。
【０１０２】
第３に、図８を参照して、本実施形態に係る移動通信システムにおいて、移動端末１０が、通信を終了し、特定のネットワークとの間の接続を切断する動作について説明する。
【０１０３】
図８に示すように、アクセス装置２０Ｎ及びＧＷ３０Ｂを介して他のネットワークとの間で通信を行っている移動端末１０は、かかる通信を終了することを決定すると、ステップＳ３００１において、切断対象となるネットワークの識別情報である「ＡＰＩ」及び移動端末１０の識別情報である「ＵＥＩＤ」を含む切断要求を、アクセス装置に送信する。
【０１０４】
ステップＳ３００２において、アクセス装置２０Ｂは、自身が保持するＧＷ情報を参照して、受信した切断要求に含まれる「ＡＰＩ」及び「ＵＥＩＤ」に対応するＧＷ３０Ｂを特定して、かかる「ＡＰＩ及び「ＵＥＩＤ」を含む切断要求を、ＧＷ３０Ｂに対して送信する。
【０１０５】
ステップＳ３００３において、ＧＷ３０Ｂは、受信した切断要求に対応する接続を切断して、その旨を通知する切断要求応答（ＯＫ）を、アクセス装置２０Ｂに対して送信する。
【０１０６】
ステップＳ３００４において、アクセス装置２０Ｂは、ＧＥ３０Ｂからの切断要求応答を受信すると、当該移動端末１０の接続状態（通信状態９を管理する認証装置４０に対して、切断対象となるネットワークの識別情報である「ＡＰＩ」及び移動端末１０の識別情報である「ＵＥＩＤ」を含む切断通知を送信する。
【０１０７】
ステップＳ３００５において、認証装置４０は、受信した切断通知に応じて、自身が管理する移動端末１０の接続状態を更新し、その旨を通知する切断通知応答（ＯＫ）を、アクセス装置２０Ｂに対して送信する。
【０１０８】
ステップＳ３００６において、アクセス装置２０Ｂは、上述の切断要求に対応する接続を切断した旨を通知する切断要求応答（ＯＫ）を、移動端末１０に対して送信する。
【０１０９】
ステップＳ３００７において、アクセス装置２０Ｂは、ＧＷ情報記憶装置６０に対して、該当するＧＷ情報のエントリを削除するように要求するために、切断対象となるネットワークの識別情報である「ＡＰＩ」及び移動端末１０の識別情報である「ＵＥＩＤ」を含むＧＷ情報解放要求を送信する。
【０１１０】
ステップＳ３００８において、ＧＷ情報記憶装置６０は、受信したＧＷ情報解放要求に応じてＧＷ情報の更新を行い、その旨を通知するＧＷ情報要求応答（ＯＫ）を、アクセス装置２０Ｂに対して送信する。
【０１１１】
なお、移動端末１０が、「ＵＥＩＤ」のみを含む切断要求を送信する場合には、全てのネットワークに対する接続を切断することを要求するものとし、アクセス装置２０Ｂは、該当する全てのＧＷに対して同時に切断要求を送信し、ＧＷ情報記憶装置５０は、かかる「ＵＥＩＤ」に関連するＧＷ情報のエントリを全て削除する。
【０１１２】
（本発明の第１の実施形態に係る移動通信システムの作用・効果）
本発明の第１の実施形態に係る移動通信システムによれば、アクセス装置２０Ｂは、移動端末１０からハンドオーバ時の接続要求を受信した場合には、ＧＷ解決装置５０に対してＡＰＩ解決要求を送信することなく、ＧＷ情報記憶装置６０から接続処理を行うべきＧＷを示すＧＷ情報を取得することができるため、少ない信号のやり取りによって、故障中であるＧＷ３０Ａに対して接続要求を送信するという無駄な通信を行うことを回避することができ、ハンドオーバ時における遅延時間を低減することができる。
【０１１３】
（変更例１）
図９を参照して、変更例１に係る移動通信システムについて、上述の第１の実施形態に係る移動通信システムとの相違点に着目して説明する。
【０１１４】
図９に示すように、ＧＷ情報記憶装置６０によって保持されるＧＷ情報は、図４に示すＧＷ情報の要素に加えて、「未接続リスト（移動端末との間の接続の確立が試みられていないＧＷの識別情報）」や、「接続エラーリスト（移動端末との間の接続の確立が失敗したＧＷの識別情報）」等を関連付けるように構成されている。
【０１１５】
なお、変形例１では、アクセス装置２０は、ＧＷ情報記憶装置６０に対して、移動端末との間の接続の確立が成功したＧＷの識別情報や、移動端末との間の接続の確立が失敗したＧＷの識別情報や、移動端末との間の接続の確立が試みられていないＧＷの識別情報等を含むＧＷ情報登録要求を送信するように構成されている。
【０１１６】
また、ＧＷ情報記憶装置６０に保持されているいずれかのＧＷ情報のエントリにおいて、移動端末１０Ａとの間の接続の確立が失敗したＧＷの識別情報が存在する場合で、かつ、アクセス装置２０が、新たに接続を開始する移動端末１０Ａに関して、当該ＧＷの識別情報を「移動端末１０Ａとの間の接続の確立が失敗したＧＷの識別情報」として含むＧＷ情報登録要求を、ＧＷ情報記憶装置６０に送信した場合、ＧＷ情報記憶装置６０は、当該ＧＷの識別情報を「接続エラーリスト」としてＧＷ情報のエントリに登録してもよい。
【０１１７】
この結果、移動端末１０Ａが接続中のＧＷが、通信中に接続不可能となり、移動端末１０Ａが、新たなＧＷを選択する場合、移動端末１０Ａとの間の接続の確立が失敗したＧＷを選択することがなくなり、再接続時の接続遅延を低減することが可能となる。
【０１１８】
（変更例２）
図１０を参照して、変更例２に係る移動通信システムについて、上述の第１の実施形態に係る移動通信システムとの相違点に着目して説明する。
【０１１９】
変更例２では、移動端末の識別情報（ＵＥＩＤ）及び接続先ネットワークの識別情報（ＡＰＩ）は、１つの識別情報によって構成されている。
【０１２０】
具体的には、アクセス装置２０は、「ＡＰＩ」及び「ＵＥＩＤ」から、１つの識別情報（例えば、ＮＡＩ：Ｎｅｔｗｏｒｋ  Ａｃｃｅｓｓ  Ｉｄｅｎｔｉｆｉｅｒ）等）を作成してもよく、作成した識別情報（ＮＡＩ）とＧＷのＩＰアドレスとを対にして、ＧＷ情報記憶装置６０に登録するように構成されていてもよい。
【０１２１】
図１０に、かかる識別情報の要素の一例を示す。
【０１２２】
ここで、接続先ネットワークの識別情報の例として、非特許文献３における「ＡＰＩ」を想定する（図１０（ａ）参照）。
【０１２３】
「ＡＰＩ」は、図１０（ａ）に示すように、ＤＮＳにより解決可能なＦＱＤＮ（Ｆｕｌｌｙ  Ｑｕａｌｉｆｉｅｄ  Ｄｏｍａｉｎ  Ｎａｍｅ）のフォーマットに従っており、オペレータにより利用されるトップレベルドメイン名の「ＧＰＲＳ」と、「ＭＣＣ（Ｍｏｂｉｌｅ  Ｃｏｕｎｔｒｙ  Ｃｏｄｅ）」と、「ＭＮＣ（Ｍｏｂｉｌｅ  Ｎｅｔｗｏｒｋ  Ｃｏｄｅ）」と、ＧＷを介して外部のどのネットワークに接続するかについて示す「Ｌａｂｅｌ」とから構成される。
【０１２４】
また、移動端末の識別情報の例として、非特許文献３における「ＩＭＳＩ」を想定する（図１０（ｂ）参照）。
【０１２５】
「ＩＭＳＩ」は、図１０（ｂ）に示すように、「ＭＮＣ＋ＭＣＣ＋ＭＳＩＮ（Ｍｏｂｉｌｅ  Ｓｕｂｓｃｒｉｂｅｒ  Ｉｄｅｎｔｉｆｉｃａｔｉｏｎ  Ｎｕｍｂｅｒ）」とから構成されている。
【０１２６】
なお、図１０（ａ）及び（ｂ）における「ｘｘｘ」及び「ｙｙｙ」は、実際の数値を示している（例えば、「１２３」や「４５６」等）。
【０１２７】
当該接続先ネットワークの識別情報と当該移動端末の識別情報を、１つの識別情報として「ＮＡＩ」の形式にする場合、「ＭＳＩＮ＠＜Ｌａｂｅｌ＞.＜ＭＮＣｘｘｘ＞.＜ＭＣＣｙｙｙ＞.ＧＰＲＳ」というフォーマットになる。
【０１２８】
この結果、「ＩＭＳＩ＠ＡＰＮ」という形をとった際に、重複する情報となる「ＭＮＣ＋ＭＣＣ」の部分を削減し、識別情報の長さを削減することが可能となる。
【０１２９】
なお、変形例２では、ＧＷ情報記憶装置６０は、「ＮＡＩ」形式のフォーマットから、必要な要素を取り出し、各ＧＷ情報のエントリの登録に利用してもよいし、或いは、「ＮＡＩ」単位を、「ＡＰＩ」と「ＵＥＩＤ」との組み合わせの代わりに用いてもよい。
【０１３０】
（変更例３）
変更例３では、ＧＷ情報記憶装置６０の機能は、ＧＷ解決装置５０に設けられているため、ＧＷ情報記憶装置６０を単独で導入する必要がない。
【０１３１】
また、変形例２では、ＧＷ情報記憶装置６０に記憶されているＧＷ情報の特定のエントリが有効期限切れとなって削除され、その後、アクセス装置２０により、当該エントリに関するＧＷ情報要求が送信された場合、ＧＷ解決装置５０は、ＡＰＩ解決応答を当該アクセス装置２０に対して送信した上で、当該エントリをＧＷ情報記憶装置６０のＧＷ情報記憶部６１に登録するように構成されていてもよい。
【０１３２】
この結果、１往復分のメッセージ（ＧＷ情報登録応答及びＡＰＩ解決要求）のやり取り（シグナリング）を削減することが可能となる。
【０１３３】
（変更例４）
変更例４では、ＧＷ情報記憶装置６０に対するＧＷ情報登録要求或いはＧＷ情報要求を受信した際に通知される「ＵＥＩＤ」は、認証処理時にネットワークから与えられるテンポラリＵＥＩＤ（Ｔ-ＵＥＩＤ）である。
【０１３４】
かかる場合、アクセス装置２０は、「ＵＥＩＤ」と「Ｔ-ＵＥＩＤ」とのマッピングを保持し、移動端末から接続要求等のメッセージを受信した際に、当該メッセージに含まれる「ＵＥＩＤ」から「Ｔ-ＵＥＩＤ」へ変換し、他の実施形態（又は、変形例）における「ＵＥＩＤ」の代わりに、変換した「Ｔ-ＵＥＩＤ」を、ＧＷ３０や認証装置４０やＧＷ情報記憶装置６０等へのメッセージに要素として含める。
【０１３５】
（変更例５）
図１１及び図１２を参照して、変更例５に係る移動通信システムについて、上述の第１の実施形態に係る移動通信システムとの相違点に着目して説明する。
【０１３６】
上述の移動通信システムは、アクセス装置２０とＧＷ３０との間において階層モビリティ制御を行わないネットワークモデルを例に説明をしているが、変更例５に係る移動通信システムは、図１１に示すような階層化モビリティ制御を行うネットワークにおいて、アクセス装置２０の機能及びＧＷの機能を、各階層のノードの機能として具備するように構成されている。
【０１３７】
具体的には、図１１に示すように、アクセス装置２０とＧＷ３０との間に、ＭＡＰ（Ｍｏｂｉｌｉｔｙ  Ａｎｃｈｏｒ  Ｐｏｉｎｔ）７０Ａが配備され、ＭＡＰ７０Ａ配下のアクセス装置２０間であれば、移動端末のハンドオーバに伴う経路制御を、アクセス装置２０とＭＡＰ７０Ａとの間に閉じて行うことができる。
【０１３８】
図１１の例では、ＭＡＰ７０Ａが、アクセス装置２０に対するＧＷの機能及びＧＷに対するアクセス装置の機能を具備する。
【０１３９】
以下、図１２を参照して、変更例５に係る移動通信システムにおける正常時の動作について説明する。
【０１４０】
図１２に示すように、ステップＳ４００１乃至Ｓ４００４の動作は、図５に示すステップＳ１００１乃至Ｓ１００４の動作と同一である。
【０１４１】
ステップＳ４００５において、ＧＷ解決装置５０は、受信したＡＰＩ解決要求に含まれる「ＡＰＩ」に対応するＧＷの機能を具備するＭＡＰリスト（例えば、ＭＡＰ７０Ａ/７０Ｂ/７０Ｃ…）を検索し、検索したＭＡＰリストを含むＡＰＩ解決応答を、アクセス装置２０Ａに対して送信する。
【０１４２】
ステップＳ４００６において、アクセス装置２０Ａは、受信したＡＰＩ解決応答に含まれるＭＡＰリストの中から、ネットワークポリシー等により、接続処理を行うべきＭＡＰ７０Ａを選択し、選択したＭＡＰ７０Ａに対して、接続要求を送信する。
【０１４３】
ステップＳ４００７において、ＭＡＰ７０Ａは、受信した接続要求に含まれる「ＡＰＩ」及び「ＵＥＩＤ」に対応するＧＷを検索するためのＡＰＩ解決要求を、ＧＷ解決装置５０に対して送信する。ここで、ＡＰＩ解決要求には、所望の接続先ネットワークの識別情報である「ＡＰＩ」が含まれている。
【０１４４】
ステップＳ４００８において、ＧＷ解決装置５０は、受信したＡＰＩ解決要求に含まれる「ＡＰＩ」に対応するＧＷリスト（例えば、ＧＷ３０Ａ/３０Ｂ/３０Ｃ…）を検索し、検索したＧＷリストを含むＡＰＩ解決応答を、ＭＡＰ７０Ａに対して送信する。
【０１４５】
ステップＳ４００９において、ＭＡＰ７０Ａは、受信したＡＰＩ解決応答に含まれるＧＷリストの中から、ネットワークポリシー等により、接続処理を行うべきＧＷ３０Ａを選択し、選択したＧＷ３０Ａに対して、接続要求を送信する。
【０１４６】
ステップＳ４０１０において、ＧＷ３０Ａは、ＭＡＰ７０Ａから送信された接続要求について受付可能である場合、移動端末１０宛てのパケットを転送するための経路設定を行い、ＭＡＰ７０Ａに対して接続要求応答（ＯＫ）を返す。
【０１４７】
ステップＳ４０１１において、ＭＡＰ７０Ａは、アクセス装置２０Ａに対して、受信した接続要求応答（ＯＫ）を送信する。
【０１４８】
ステップＳ４０１２において、アクセス装置２０Ａは、移動端末１０に対して、移動端末１０とＧＷ３０Ａとの間の接続が確立した旨を通知するための接続要求応答を送信する。
【０１４９】
ステップＳ４０１３において、ＭＡＰ７０Ａは、移動端末１０の識別情報である「ＵＥＩＤ」と、所望の接続先ネットワークの識別情報である「ＡＰＩ」と、ＧＷ３０Ａの識別情報とを関連付けるＧＷ情報を登録するように要求するＧＷ情報登録要求を、ＧＷ情報記憶装置６０に対して送信する。
【０１５０】
ステップＳ４０１４において、アクセス装置２０Ａは、移動端末１０の識別情報である「ＵＥＩＤ」と、所望の接続先ネットワークの識別情報である「ＡＰＩ」と、ＭＡＰ７０Ａの識別情報とを関連付けるＧＷ情報を登録するように要求するＧＷ情報登録要求を、ＧＷ情報記憶装置６０に対して送信する。
【０１５１】
ステップＳ４０１５において、ＧＷ情報記憶装置６０は、ＭＡＰ７０Ａから受信したＧＷ情報登録要求に含まれるＧＷ情報を登録し、かかる登録処理が完了したことを示すＧＷ情報登録応答（ＯＫ）を、ＭＡＰ７０Ａに対して送信する。
【０１５２】
ステップＳ４０１６において、ＧＷ情報記憶装置６０は、アクセス装置２０Ａから受信したＧＷ情報登録要求に含まれるＧＷ情報を登録し、かかる登録処理が完了したことを示すＧＷ情報登録応答（ＯＫ）を、アクセス装置２０Ａに対して送信する。
【０１５３】
（変更例６）
上述の移動通信システムでは、認証装置４０が、移動端末の接続状態（通信状態）を管理する機能を持ち、アクセス装置２０からの認証要求に対して、移動端末がハンドオーバ中であるか否かについての情報（初期接続フラグ又はＨＯフラグ）を提供するように構成されていたが、変更例６では、かかる機能は、認証装置４０と独立した装置に設けられ、認証処理後に、認証装置４０と当該装置との間で移動端末の接続状態（通信状態）を確認する手順を設けてもよい。
【０１５４】
また、移動端末の接続状態（通信状態）を管理する機能が、ＧＷ情報記憶装置６０に配置されるように構成されていてもよい。
【０１５５】
具体的には、かかる機能が装備された装置をＧＷ情報記憶装置６０の一部とするように構成されていてもよいし、かかる機能自体をＧＷ情報記憶装置６０内部に装備するように構成されていてもよい。
【０１５６】
なお、ＧＷ情報が記憶されており、かつ、「エントリ有効期限」が「無期限」と設定されている場合、ＧＷ情報記憶装置６０が、移動端末の接続状態（通信状態）を管理する機能を具備するように構成されている。
【０１５７】
（変更例７）
上述の実施形態及び変更例では、ＧＷ解決装置５０が、単独の装置として存在する例について説明しているが、変更例７では、移動端末１０が、ＧＷ解決装置５０の機能を具備するように構成されている。
【０１５８】
具体的には、変更例７に係る移動端末１０は、他ネットワークの識別情報（ＡＰＩ）に対応するＧＷについての情報（ＧＷリスト）を保持しており、接続要求において移動端末１０が接続を確立すべきＧＷを、アクセス装置２０に通知するように構成されている。
【０１５９】
なお、移動端末１０は、図１に示すように、移動端末１０が接続を確立すべきＧＷに対して優先度を付けて管理するように構成されていてもよい。
【０１６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１６１】
【図１】本発明の第１の実施形態に係る移動通信システムの全体構成図である。
【図２】本発明の第１の実施形態に係るアクセス装置の機能ブロック図である。
【図３】本発明の第１の実施形態に係るＧＷ情報記憶装置の機能ブロック図である。
【図４】本発明の第１の実施形態に係るＧＷ情報記憶装置によって記憶されているＧＷ情報の一例を示す図である。
【図５】本発明の第１の実施形態に係る移動通信システムにおける正常時の接続処理を示すシーケンス図である。
【図６】本発明の第１の実施形態に係る移動通信システムにおいてＧＷ３０Ａにおいて障害が発生している場合の接続処理を説明するための図である。
【図７】本発明の第１の実施形態に係る移動通信システムにおいてＧＷ３０Ａにおいて障害が発生している場合の接続処理を示すシーケンス図である。
【図８】本発明の第１の実施形態に係る移動通信システムにおける切断処理を示すシーケンス図である。
【図９】本発明の変更例１に係るＧＷ情報記憶装置によって記憶されているＧＷ情報の一例を示す図である。
【図１０】本発明の変更例２に係るＧＷ情報記憶装置によって記憶されているＧＷ情報で用いられる識別子の一例を示す図である。
【図１１】本発明の変更例５に係る移動通信システムの全体構成図である。
【図１２】本発明の変更例５に係る移動通信システムにおける正常時の接続処理を示すシーケンス図である。
【図１３】従来の３ＧＰＰ  ＧＰＲＳネットワークにおいて、移動端末ＭＳと交換機ＧＧＳＮとの間で経路設定を行う動作について示すシーケンス図である。
【図１４】従来の３ＧＰＰ  ＧＰＲＳネットワークにおいて、移動端末ＭＳがハンドオーバを行う際の動作について示すシーケンス図である。
【図１５】従来の３ＧＰＰ  ＧＰＲＳネットワークにおける問題点を説明するための図である。
【符号の説明】
【０１６２】
１…アクセスネットワーク
１０…移動端末
２０、２０Ａ、２０Ｂ…アクセス装置
２１…認証処理部
２２…接続処理部
２３…ＧＷ情報取得部
２４…ＧＷ情報登録部
３０Ａ、３０Ｂ、３０Ｃ…ゲートウェイ
４０…認証装置
５０…ＧＷ解決装置
６０…ＧＷ情報規則装置
６１…ＧＷ情報記憶部
６２…ＧＷ情報受信部
６３…ＧＷ情報送信部
７０Ａ…ＭＡＰ
【図１】
2008172294.tif 000003
【図２】
2008172294.tif 000004
【図３】
2008172294.tif 000005
【図４】
2008172294.tif 000006
【図５】
2008172294.tif 000007
【図６】
2008172294.tif 000008
【図７】
2008172294.tif 000009
【図８】
2008172294.tif 000010
【図９】
2008172294.tif 000011
【図１０】
2008172294.tif 000012
【図１１】
2008172294.tif 000013
【図１２】
2008172294.tif 000014
【図１３】
2008172294.tif 000015
【図１４】
2008172294.tif 000016
【図１５】
2008172294.tif 000017